(57)【要約】【課題】荷物を運搬する際の荷物の重量管理が容易な荷物重量管理システムを提供する。【解決手段】荷物重量管理システム２６は、複数の荷物１１にそれぞれ備えられ、荷物１１の識別データおよび重量データが書込まれた第一のＲＦＩＤタグ１４ａと、複数の荷物１１を積載して運搬可能なパレット１２に備えられ、パレット１２の識別データが書込まれた第二のＲＦＩＤタグ１４ｂと、それぞれの第一のＲＦＩＤタグ１４ａに書込まれた各荷物１１の識別データ、各荷物の重量データ、および第二のＲＦＩＤタグ１４ｂに書込まれたパレット１２の識別データを読取ると共に、複数の荷物１１の重量データをパレット１２の識別データと関連付けて第二のＲＦＩＤタグ１４ｂに書込むハンディターミナル２７とを含む。【選択図】図６
2010159104.tif 000002
【特許請求の範囲】
【請求項１】
複数の荷物にそれぞれ備えられ、前記荷物の識別データおよび重量データが書込まれた第一のＲＦＩＤタグと、
複数の前記荷物を積載して運搬可能な運搬部材に備えられ、前記運搬部材の識別データが書込まれた第二のＲＦＩＤタグと、
それぞれの前記第一のＲＦＩＤタグに書込まれた前記各荷物の識別データ、前記各荷物の重量データ、および前記第二のＲＦＩＤタグに書込まれた前記運搬部材の識別データを読取る読取り手段と、
複数の前記荷物の重量データを前記運搬部材の識別データと関連付けて前記第二のＲＦＩＤタグに書込む書込み手段とを含む、荷物重量管理システム。
【請求項２】
前記書込み手段は、前記運搬部材の識別データを前記各荷物の識別データと関連付けてそれぞれの前記第一のＲＦＩＤタグに書込む、請求項１に記載の荷物重量管理システム。
【請求項３】
前記第二のＲＦＩＤタグには、前記運搬部材の識別データに関連付けて前記運搬部材の重量データが書込まれている、請求項１または２に記載の荷物重量管理システム。
【請求項４】
所定の範囲内に存在するＲＦＩＤタグへのデータの読書きが可能なハンディターミナルを含み、
前記ハンディターミナルは、前記読取り手段および前記書込み手段として作動する、請求項１〜３のいずれかに記載の荷物重量管理システム。
【請求項５】
ユーザを認証する認証手段と、
前記認証手段によりユーザ認証が失敗すれば、前記読取り手段および前記書込み手段のうち、少なくともいずれか一方を作動させないよう制御する制御手段とを含む、請求項１〜４のいずれかに記載の荷物重量管理システム。
【請求項６】
データの読書きが可能なＩＣカードを含み、
前記書込み手段は、前記荷物の積載時に前記荷物の識別データおよび重量データを前記ＩＣカードに書込む、請求項１〜５のいずれかに記載の荷物重量管理システム。
【請求項７】
前記第一のＲＦＩＤタグには、前記荷物の体積データが書込まれており、
前記読取り手段は、前記荷物の体積データを読取り、
前記書込み手段は、前記荷物の体積データを前記荷物の識別データに関連付けて前記第二のＲＦＩＤタグに書込む、請求項１〜６のいずれかに記載の荷物重量管理システム。
【請求項８】
前記第一のＲＦＩＤタグには、前記荷物の寸法データが書込まれており、
前記読取り手段は、前記荷物の寸法データを読取り、
前記書込み手段は、前記荷物の寸法データを前記荷物の識別データに関連付けて前記第二のＲＦＩＤタグに書込む、請求項１〜７のいずれかに記載の荷物重量管理システム。
【請求項９】
複数の荷物のそれぞれに備えられた第一のＲＦＩＤタグから前記各荷物の識別データ、および前記各荷物の重量データを読取り、複数の前記荷物を積載して運搬可能な運搬部材に備えられた第二のＲＦＩＤタグから前記運搬部材の識別データを読取る読取りステップと、
前記各荷物の重量データを前記運搬部材の識別データと関連付けて前記第二のＲＦＩＤタグに書込む書込みステップとを備える、荷物重量管理方法。
【請求項１０】
複数の荷物のそれぞれに備えられた第一のＲＦＩＤタグから、前記各荷物の識別データおよび前記各荷物の重量データを読取り、複数の前記荷物を積載して運搬可能である運搬部材に備えられた第二のＲＦＩＤタグから、前記運搬部材の識別データを読取る読取り部と、
前記各荷物の重量データを前記運搬部材の識別データと関連付けて前記第二のＲＦＩＤタグに書込む書込み部とを備える、荷物重量管理装置。
【発明の詳細な説明】
【技術分野】
【０００１】
この発明は、荷物重量管理システム、荷物重量管理方法、および荷物重量管理装置に関するものであり、特に、複数の荷物を運搬する際の荷物重量管理システム、荷物重量管理方法、および荷物重量管理装置に関するものである。
【背景技術】
【０００２】
従来、複数の荷物をトラックで運搬する際には、まず、パレットのような運搬部材の上に複数の荷物を積載する。そして、複数の荷物が積載されたパレットごとに、トラックへ積み込んだり、積み降ろしたりしていた。
【０００３】
ここで、各荷物に対して、運搬に要するＣＯ２排出量を概算する場合、その一例として、荷物を運搬するトラックの排出するＣＯ２排出量を基に概算値を算出することとしている。具体的には、トラックに積載された全ての荷物の総重量に対する各荷物の重量の比率を基に、各荷物における運搬時のＣＯ２排出量を概算することとしている。また、荷主の異なる荷物を混載してトラックで運搬する場合において、荷物をトラックで運搬する際の各荷物に対する運搬料金についても、トラックに積載された全ての荷物の総重量に対する各荷物の重量の比率に応じて算出し、各荷主に課金することとしている。このように、トラックで荷物を運搬する際には、全ての荷物の総重量の管理もさることながら、運搬に要するＣＯ２排出量や運搬料金の算出の観点から、各荷物の重量についても管理が必要とされている。
【０００４】
ここで、荷物を運搬するに際して、ＲＦＩＤ（Ｒａｄｉｏ  Ｆｒｅｑｕｅｎｃｙ  Ｉｄｅｎｔｉｆｉｃａｔｉｏｎ）タグを用いた重量管理システムが、例えば、特開２００６−２７７７４号公報（特許文献１）に開示されている。特許文献１によると、物品を入れた梱包容器の重量を測定し、梱包容器に取り付けられたＲＦＩＤタグに、物品を入れた梱包容器の重量を書込むこととしている。こうすることにより、物品を入れた梱包容器の重量データを容易に取得できるようにして、重量管理を簡単に、かつ信頼性良く行うこととしている。
【先行技術文献】
【特許文献】
【０００５】
【特許文献１】特開２００６−２７７７４号公報
【発明の概要】
【発明が解決しようとする課題】
【０００６】
特許文献１によると、物品を入れた梱包容器の重量自体は、梱包容器に取り付けられたＲＦＩＤタグにより取得することができる。しかし、どのような重量の物品が梱包容器に入れられているかを即時に把握することが困難な場合がある。そうすると、全ての物品の総重量に対する個々の物品の重量の比率を算出する際に、個々の物品の重量については、改めて計測等をしなければならないため、作業が煩雑になる。
【０００７】
ここで、一つ一つの物品にＲＦＩＤタグを取り付け、それぞれの物品の重量を管理すれば、各物品の重量および各物品の重量を足し合わせた総重量を管理することができる。しかし、全ての物品の総重量に対する個々の物品の重量の比率を算出する際に、全ての物品の総重量のデータを取得するためには、全ての物品の重量データを取得しなければならない。そうすると、個々の物品の重量の比率を算出する際に、その都度、物品に取り付けられたＲＦＩＤタグの重量データを一つ一つ読取らなければならず、多大な労力を要し、非効率となってしまう。また、読取りミスも発生するおそれもある。
【０００８】
この発明の目的は、荷物を運搬する際の荷物の重量管理が容易な荷物重量管理システムを提供することである。
【０００９】
この発明の他の目的は、荷物を運搬する際の荷物の重量管理が容易な荷物重量管理方法を提供することである。
【００１０】
この発明のさらに他の目的は、荷物を運搬する際の荷物の重量管理が容易な荷物重量管理装置を提供することである。
【課題を解決するための手段】
【００１１】
この発明に係る荷物重量管理システムは、複数の荷物にそれぞれ備えられ、荷物の識別データおよび重量データが書込まれた第一のＲＦＩＤタグと、複数の荷物を積載して運搬可能な運搬部材に備えられ、運搬部材の識別データが書込まれた第二のＲＦＩＤタグと、それぞれの第一のＲＦＩＤタグに書込まれた各荷物の識別データ、各荷物の重量データ、および第二のＲＦＩＤタグに書込まれた運搬部材の識別データを読取る読取り手段と、複数の荷物の重量データを運搬部材の識別データと関連付けて第二のＲＦＩＤタグに書込む書込み手段とを含む。
【００１２】
このような荷物重量管理システムによると、第二のＲＦＩＤタグには、複数の荷物の重量データが運搬部材の識別データと関連付けられて書込まれているため、運搬部材に積載された全ての荷物の総重量データを、運搬部材に備えられた第二のＲＦＩＤタグから読取ることができる。そうすると、運搬部材に積載された各荷物に関する重量データを各荷物からそれぞれ取得しなくてもよく、容易に運搬部材に積載された全ての荷物の総重量データを取得することができる。また、運搬部材に積載された各荷物についても、第一のＲＦＩＤタグから重量データを読取ることができる。そうすると、各荷物の重量データを容易に取得することができる。したがって、荷物を運搬する際の荷物の重量管理が容易になる。
【００１３】
好ましくは、書込み手段は、運搬部材の識別データを各荷物の識別データと関連付けてそれぞれの第一のＲＦＩＤタグに書込む。こうすることにより、運搬部材に積載された各荷物についても、荷物に備えられた第一のＲＦＩＤタグから運搬部材の識別データを取得できるので、運搬部材と各荷物との関連性、すなわち、例えば、どの運搬部材に荷物が積載されているかといった情報や、荷物が運搬部材に積載されているか否かという情報を容易に取得することができる。
【００１４】
さらに好ましくは、第二のＲＦＩＤタグには、運搬部材の識別データに関連付けて運搬部材の重量データが書込まれている。
【００１５】
さらに好ましい一実施形態として、所定の範囲内に存在するＲＦＩＤタグへのデータの読書きが可能なハンディターミナルを含み、ハンディターミナルは、読取り手段および書込み手段として作動する。
【００１６】
さらに好ましくは、ユーザを認証する認証手段と、認証手段によりユーザ認証が失敗すれば、読取り手段および書込み手段のうち、少なくともいずれか一方を作動させないよう制御する制御手段とを含む。
【００１７】
さらに好ましくは、データの読書きが可能なＩＣカードを含み、書込み手段は、荷物の積載時に荷物の識別データおよび重量データをＩＣカードに書込む。
【００１８】
さらに好ましくは、第一のＲＦＩＤタグには、荷物の体積データが書込まれており、読取り手段は、荷物の体積データを読取り、書込み手段は、荷物の体積データを荷物の識別データに関連付けて第二のＲＦＩＤタグに書込む。
【００１９】
さらに好ましくは、第一のＲＦＩＤタグには、荷物の寸法データが書込まれており、読取り手段は、荷物の寸法データを読取り、書込み手段は、荷物の寸法データを荷物の識別データに関連付けて第二のＲＦＩＤタグに書込む。
【００２０】
この発明の他の局面において、荷物重量管理方法は、複数の荷物のそれぞれに備えられた第一のＲＦＩＤタグから各荷物の識別データ、および各荷物の重量データを読取り、複数の荷物を積載して運搬可能な運搬部材に備えられた第二のＲＦＩＤタグから運搬部材の識別データを読取る読取りステップと、各荷物の重量データを運搬部材の識別データと関連付けて第二のＲＦＩＤタグに書込む書込みステップとを備える。
【００２１】
この発明のさらに他の局面において、荷物重量管理装置は、複数の荷物のそれぞれに備えられた第一のＲＦＩＤタグから、各荷物の識別データおよび各荷物の重量データを読取り、複数の荷物を積載して運搬可能である運搬部材に備えられた第二のＲＦＩＤタグから、運搬部材の識別データを読取る読取り部と、各荷物の重量データを運搬部材の識別データと関連付けて第二のＲＦＩＤタグに書込む書込み部とを備える。
【発明の効果】
【００２２】
このような荷物重量管理システムによると、第二のＲＦＩＤタグには、複数の荷物の重量データが運搬部材の識別データと関連付けられて書込まれているため、運搬部材に積載された全ての荷物の総重量データを、運搬部材に備えられた第二のＲＦＩＤタグから読取ることができる。そうすると、運搬部材に積載された各荷物に関する重量データを各荷物からそれぞれ取得しなくてもよく、容易に運搬部材に積載された全ての荷物の総重量データを取得することができる。また、運搬部材に積載された各荷物についても、第一のＲＦＩＤタグから重量データを読取ることができる。そうすると、各荷物の重量データを容易に取得することができる。したがって、荷物を運搬する際の荷物の重量管理が容易になる。
【００２３】
また、このような荷物重量管理方法、荷物重量管理装置についても、荷物を運搬する際の荷物の重量管理が容易になる。
【図面の簡単な説明】
【００２４】
【図１】この発明の一実施形態に係る荷物重量管理システムの管理対象である荷物、および荷物を運搬する運搬部材としてのパレットを示す外観斜視図である。
【図２】第一のタグに書込まれた荷物のデータ構成を示す概念図である。
【図３】第二のタグに書込まれたパレットのデータ構成を示す概念図である。
【図４】第一のタグに荷物の重量データを書込む重量データ書込み装置の概念図である。
【図５】重量データ書込み装置における処理の流れを示すフローチャートである。
【図６】この発明の一実施形態に係る荷物重量管理システムのハードウェア構成を示す図である。
【図７】この発明の一実施形態に係る荷物重量管理システムにおいて、荷物の重量データを管理する場合を示すフローチャートである。
【図８】荷物重量管理システムにより関連付けられた複数のデータ構成を示す概念図である。
【図９】この発明の他の実施形態に係る荷物重量管理システムのハードウェア構成を示す図である。
【図１０】この発明のさらに他の実施形態に係る荷物重量管理システムのハードウェア構成を示す図である。
【図１１】この発明のさらに他の実施形態に係る荷物重量管理システムのハードウェア構成を示す図である。
【図１２】体積データを管理する際の第一および第二のタグに書込まれた荷物の識別データ等を示すデータ構成の概念図である。
【図１３】１６個の荷物が積載されたパレットを示す外観斜視図である。
【図１４】運搬部材としての台車の外観斜視図である。
【図１５】運搬部材としてのカゴ車の外観斜視図である。
【図１６】複数の荷物を積載したパレット、運搬部材に積載されていない複数の荷物、および複数の荷物を積載したカゴ車を示す外観斜視図である。
【発明を実施するための形態】
【００２５】
以下、この発明の実施の形態を、図面を参照して説明する。図１は、この発明の一実施形態に係る荷物重量管理システムの管理対象である荷物、および荷物を運搬する運搬部材としてのパレットを示す外観斜視図である。図１を参照して、荷物重量管理システムに用いられるパレット１２は、四角平板状であって、その上に運搬する荷物１１を積載可能である。なお、荷物１１は、略直方体状である。パレット１２には、後述するフォークリフトでの運搬を容易にするために、フォークリフトの爪を差し込むことができる２つの開口孔１３が設けられている。パレット１２は、荷物１１を複数積載することができる。図１に示す形態においては、荷物１１を３個積載した状態を示している。なお、この明細書においては、理解の容易の観点から、複数の荷物１１の形状、および大きさをそれぞれ同じとしているが、形状や大きさは種々のものが混在していても構わない。
【００２６】
荷物１１には、第一のＲＦＩＤタグ１４ａが備えられている。以下、第一のＲＦＩＤタグ１４ａを、単に第一のタグ１４ａという。第一のタグ１４ａは、荷物１１の外表面のうち、荷物１１の側面１５に貼付するように備えられているのが望ましい。第一のタグ１４ａは、荷物１１の外方側から視認可能な位置に貼付されているのが望ましい。ここでは、第一のタグ１４ａは、側面１５のほぼ中央に貼付されている。
【００２７】
パレット１２には、第二のＲＦＩＤタグ１４ｂが備えられている。以下、第二のＲＦＩＤタグ１４ｂを、単に第二のタグ１４ｂという。第二のタグ１４ｂは、パレット１２の外表面のうち、側面１６に貼付するように備えられているのが望ましい。第二のタグ１４ｂについても、パレット１２の外方側から視認可能な位置に貼付されているのが望ましい。ここでは、第二のタグ１４ｂは、側面１６のほぼ中央に貼付されている。
【００２８】
第一のタグ１４ａには、荷物１１の識別データおよび荷物１１の重量データが書込まれている。図２は、第一のタグ１４ａに書込まれた荷物１１のデータ構成を示す概念図である。図２を参照して、第一のタグ１４ａに書込まれるデータ１７として、荷物１１のＩＤを示す識別データ１８ａ、および荷物１１の重量を示す重量データ１８ｂが書込まれている。ここでは、識別データ１８ａとして、荷物ＩＤを「００１」とし、重量データ１８ｂを、「２０ｋｇ」としている。なお、第一のタグ１４ａには、さらに２つのデータ１８ｃ、１８ｄが書込まれている。具体的には、データ１８ｃには、「０」が書込まれており、データ１８ｄには、「０００」が書込まれている。データ１８ｃ、１８ｄについては、後述する。すなわち、第一のタグ１４ａに設けられた記憶領域には、荷物１１の識別データ１８ａ、荷物１１の重量データ１８ｂ、データ１８ｃ、およびデータ１８ｄが格納されている。
【００２９】
第二のタグ１４ｂには、パレット１２の識別データおよびパレット１２の重量データが書込まれている。図３は、第二のタグ１４ｂに書込まれたパレット１２のデータ構成を示す概念図である。図３を参照して、第二のタグ１４ｂに格納されるデータ１９として、パレット１２のＩＤを示す識別データ２０ａ、およびパレット１２の重量を示す重量データ２０ｂが書込まれている。ここでは、識別データ２０ａとして、パレットＩＤを「ＡＡＡ」とし、重量データ２０ｂを、「自重１ｋｇ」としている。なお、第二のタグ１４ｂについても、さらに２つのデータ２０ｃ、２０ｄが書込まれている。具体的には、データ２０ｃには、「積載２３４ｋｇ」が書込まれており、データ２０ｄには、「０」が書込まれている。データ２０ｃ、２０ｄについては、後述する。すなわち、第二のタグ１４ｂに設けられた記憶領域には、パレット１２の識別データ２０ａ、パレット１２の重量データ２０ｂ、データ２０ｃ、およびデータ２０ｄが格納されている。
【００３０】
次に、第一のタグ１４ａに、荷物１１の重量データを書込む方法について説明する。図４は、第一のタグ１４ａに荷物１１の重量データを書込む重量データ書込み装置２１の概略図である。図５は、重量データ書込み装置２１における処理の流れを示すフローチャートである。図４および図５を参照して、重量データ書込み装置２１は、その上に載置された荷物１１の重量を測定する重量測定器２２と、荷物１１に貼付された第一のタグ１４ａに対してデータの読書きが可能なリーダライタ２３と、データの読書き等を制御する制御装置２４と、荷物１１に関する各種のデータを格納する荷物ＤＢ（データベース）２５とを備える。重量測定器２２、リーダライタ２３、および荷物ＤＢ２５はそれぞれ、制御装置２４に接続されている。
【００３１】
まず、重量測定器２２上に荷物１１が載置されると（図５において、ステップＳ１１、以下、ステップを省略する）、重量測定器２２は、荷物１１の重量を測定する（Ｓ１２）。測定された荷物１１の重量データは、制御装置２４に送信される。その後、制御装置２４に送信された重量データは、制御装置２４に接続されたリーダライタ２３によって、荷物１１に貼付された第一のタグ１４ａに書込まれる（Ｓ１３）。このようにして、第一のタグ１４ａに、荷物１１の重量データが書込まれる。
【００３２】
なお、荷物１１の重量データが予め荷物ＤＢ２５に格納されている場合には、制御装置２４は荷物ＤＢ２５から荷物１１の重量データを取得し、リーダライタ２３によって荷物１１の重量データを第一のタグ１４ａに書込むようにしてもよい。
【００３３】
次に、この発明の一実施形態に係る荷物重量管理システムの構成について説明する。図６は、この発明の一実施形態に係る荷物重量管理システムのハードウェア構成を示す図である。図６を参照して、荷物重量管理システム２６は、複数の荷物１１にそれぞれ備えられ、荷物１１の識別データ１８ａおよび重量データ１８ｂが書込まれた第一のタグ１４ａと、複数の荷物１１を積載して運搬可能な運搬部材としてのパレット１２に備えられ、パレット１２の識別データ２０ａおよび重量データ２０ｂが書込まれた第二のタグ１４ｂとを含む。また、荷物重量管理システム２６は、所定の範囲内に存在するＲＦＩＤタグへのデータの読書きが可能なハンディターミナル２７を含む。ハンディターミナル２７は、第一のタグ１４ａに書込まれた荷物１１の識別データ１８ａ、荷物１１の重量データ１８ｂ、第二のタグ１４ｂに書込まれたパレット１２の識別データ２０ａおよびパレット１２の重量データ２０ｂを読取る。また、ハンディターミナル２７は、複数の荷物１１の重量データ１８ｂをパレット１２の識別データ２０ａと関連付けて第二のタグ１４ｂに書込み、パレット１２の識別データ２０ａを荷物１１の識別データ１８ａと関連付けて第一のタグ１４ａに書込む。
【００３４】
ここで、荷物重量管理システム２６による荷物１１の重量管理について説明する。図７は、荷物重量管理システム２６による荷物１１の重量管理を行う場合を示すフローチャートである。図６および図７を参照して、まず、ハンディターミナル２７により、第一のタグ１４ａから、荷物１１の識別データ１８ａおよび荷物１１の重量データ１８ｂを読取る（Ｓ２１）。そして、第二のタグ１４ｂから、パレット１２の識別データ２０ａおよびパレット１２の重量データ２０ｂを読取る（Ｓ２２）。ここでは、第一のタグ１４ａの方を第二のタグ１４ｂよりも先に読取ることとしたが、第二のタグ１４ｂの読取りの方を第一のタグ１４ａの読取りより先に行なっても構わない。
【００３５】
次に、ハンディターミナル２７により、読取った荷物１１の重量データ１８ｂを、第二のタグ１４ｂに書込む（Ｓ２３）。ここで、第二のタグ１４ｂに対しては、上記した図３に示すデータの概念図において、データ１９のうち、荷物１１の重量データ１８ｂをデータ２０ｃに書込む。この場合、荷物１１の重量データ１８ｂは、既にデータ２０ｃに書込まれた重量データに足し合わせて、積載重量データ２０ｃとして書込む。例えば、荷物１１の重量データ１８ｂが２０ｋｇであり、既にデータ２０ｃに書込まれていた重量データが２１４ｋｇだったとすると、２１４ｋｇに２０ｋｇを加算した値である２３４ｋｇを新たにデータ２０ｃに書込む。すなわち、このデータ２０ｃにより、パレット１２に積載された全ての荷物１１による積載重量データは、「２３４ｋｇ」であるということを把握することができる。
【００３６】
その後、第一のタグ１４ａに対し、パレット１２の識別データ２０ａを書込む（Ｓ２４）。ここで、第一のタグ１４ａに対して、上記した図２に示すデータの概念図において、データ１７のうち、データ１８ｃ、１８ｄに書込む。データ１８ｃには、荷物１１がパレット１２に積載されているか否かを示すフラグを書込む。具体的には、いずれかのパレット１２に積載されている場合には、「１」を書込む。すなわち、書込まれる前は、「０」が書込まれているため、このデータ１８ｃを読取ることにより、荷物１１がいずれかのパレット１２に積載されているか否かを把握することができる。具体的には、データ１８ｃが「０」の場合、いずれのパレット１２にも積載されていないことを示し、データが「１」の場合、いずれかのパレット１２に積載されていることを示す。
【００３７】
また、データ１８ｄには、パレット１２の識別データ２０ａを書込む。この場合、パレット１２の識別データ２０ａは、「ＡＡＡ」であるため、データ１８ｄに「ＡＡＡ」を書込む。すなわち、このデータ１８ｄにより、荷物１１は識別データ２０ａが「ＡＡＡ」であるパレット１２に積載されているということを把握できる。
【００３８】
なお、データ２０ｄには、データ１８ｃと同様、パレット１２が他のパレットに積載されているか否かを示すフラグが書込まれる。すなわち、他のパレットに積載されていなければ「０」のままであり、他のパレットに積載されていれば、「１」が書込まれる。
【００３９】
このようにして、ハンディターミナル２７は、複数の荷物１１の重量データ１８ｂをパレット１２の識別データ２０ａと関連付けて第二のタグ１４ｂに書込み、パレット１２の識別データ２０ａを荷物１１の識別データ１８ａと関連付けて第一のタグ１４ａに書込む。
【００４０】
図８は、このような荷物重量管理システム２６により関連付けられた複数のデータ構成を示す概念図である。図８を参照して、パレット１２に積載されたそれぞれの荷物１１に備えられたそれぞれの第一のタグのデータ２８ａ、２８ｂ、２８ｃ、２８ｄには、それぞれの荷物ＩＤ、それぞれの重量データと共に、荷物１１がパレット１２に積載されていることを示すフラグ「１」、および積載されたパレット１２の識別データ「ＡＡＡ」が書込まれる。また、第二のタグのデータ２８ｅには、パレット１２に積載された全ての荷物１１、ここでは、荷物ＩＤがＡ、Ｂ、Ｃ、Ｄである荷物１１の重量データ、具体的には、総重量データが書込まれる。なお、図８中に、パレット１２に積載されていない荷物１１についての第一のタグに書込まれたデータ２８ｆを示す。データ２８ｆには、荷物ＩＤおよび重量データは書込まれているが、フラグおよび積載されたパレットの識別データは書込まれていない。すなわち、データ２８ｆにおいて、フラグおよびパレット識別データは、「０」および「０００」のままである。
【００４１】
上記より、このような荷物重量管理システム２６によると、第二のタグ１４ｂには、複数の荷物１１の重量データがパレット１２の識別データと関連付けられて書込まれているため、パレット１２に積載された全ての荷物１１の総重量データを、パレット１２に備えられた第二のタグ１４ｂから読取ることができる。そうすると、パレット１２に積載された各荷物１１に関する重量データを各荷物１１からそれぞれ取得しなくてもよく、容易にパレット１２に積載された全ての荷物１１の総重量データを取得することができる。また、パレット１２に積載された各荷物１１についても、第一のタグ１４ａから重量データを読取ることができる。そうすると、各荷物１１の重量データを容易に取得することができる。したがって、荷物１１を運搬する際の荷物の重量管理が容易になる。
【００４２】
また、パレット１２に積載された各荷物１１についても、荷物１１に備えられた第一のタグ１４ａからパレット１２の識別データを取得できるので、パレット１２と各荷物１１との関連性、すなわち、例えば、どのパレット１２に荷物１１が積載されているかといった情報や、荷物１１がパレット１２に積載されているか否かという情報を容易に取得することができる。
【００４３】
また、この場合、パレット１２の重量データも書込まれているため、パレット１２の重量も含めた総重量を容易に把握することができる。そうすると、パレット１２ごと、トラック等に積載して運搬する際の重量管理も容易になる。
【００４４】
また、図８のようなデータ構成を採ることにより、荷物１１がパレット１２に積載されている場合だけでなく、荷物１１がパレット１２に積載されずに直接トラック等に積載される場合、荷物１１を積載したパレット１２がさらに別のパレット１２に積載される場合、およびこれらが全て混在している場合についても、容易に重量管理をすることができる。
【００４５】
ここで、この発明に係る荷物重量管理方法は、複数の荷物１１のそれぞれに備えられた第一のタグ１４ａから各荷物１１の識別データ１８ａ、および各荷物１１の重量データ１８ｂを読取り、複数の荷物１１を積載して運搬可能な運搬部材としてのパレット１２に備えられた第二のタグ１４ｂからパレット１２の識別データ２０ａを読取る読取りステップと、複数の荷物１１の重量データ１８ｂをパレット１２の識別データ２０ａと関連付けて第二のタグ１４ｂに書込む書込みステップとを備える。
【００４６】
また、この発明に係る荷物重量管理装置は、複数の荷物１１のそれぞれに備えられた第一のタグ１４ａから、各荷物１１の識別データ１８ａおよび各荷物１１の重量データ１８ｂを読取り、複数の荷物１１を積載して運搬可能である運搬部材としてのパレット１２に備えられた第二のタグ１４ｂから、パレット１２の識別データ２０ａを読取る読取り部と、各荷物１１の重量データ１８ｂをパレット１２の識別データ２０ａと関連付けて第二のタグ１４ｂに書込む書込み部とを備える。ここで、具体的には、荷物重量管理装置は、第一および第二のタグへのデータの読書きが可能なハンディターミナルである。
【００４７】
なお、上記の実施の形態においては、所定の範囲内に存在するＲＦＩＤタグへのデータの読書きが可能なハンディターミナルを用いて、第一および第二のタグへのデータの読書きを行なうこととしたが、これに限らず、荷物を複数積載したパレットを移動させる際に、パレットの移動通路上にゲートを設け、このゲートに対して、上記した機構を設けるようにしてもよい。
【００４８】
図９は、この場合における荷物重量管理システム３１のハードウェア構成を示す図である。図９を参照して、この発明の他の実施形態に係る荷物重量管理システム３１は、パレット１２の移動通路３２上の所定の箇所に設けられたゲート３３と、データの読書き等を制御する制御装置３４と、ＨＴ（Ｈａｎｄｙ  Ｔｅｒｍｉｎａｌ：ハンディターミナル）からのデータを受信するＨＴ受信装置３５と、荷物１１に関するデータが格納された荷物ＤＢ３６とを備える。ゲート３３、ＨＴ受信装置３５、および荷物ＤＢ３６はそれぞれ、制御装置３４に接続されている。ゲート３３には、ゲート３３を通過する領域をデータの読書き可能な範囲とするようにリーダライタ３７が設けられている。リーダライタ３７は、ゲート３３に合計４つ設けられている。具体的には、ゲート３３を構成する一対の支柱３８ａ、３８ｂのうち、一方の支柱３８ａの上方側および下方側に位置するように２つのリーダライタ３７が設けられており、他方の支柱３８ｂの上方側および下方側に位置するように、残り２つのリーダライタが設けられている。なお、図９においては、４つのリーダライタ３７のうちの１つは図示していない。
【００４９】
ここで、図９に示す荷物重量管理システムにおける動作について説明する。複数の荷物１１が積載されたパレット１２は、フォークリフト３９によって運搬される。具体的には、上記した構成のパレット１２に設けられた開口孔１３にフォークリフト３９の爪を挿入されて持ち上げられ、そのまま移動される。ここで、ゲート３３を通過する際に、荷物１１に備えられた第一のタグ１４ａ、およびパレット１２に備えられた第二のタグ１４ｂは、ゲート３３に設けられたリーダライタ３７の検知範囲となる。そして、フォークリフト３９が通過する際に、パレット１２に備えられた第二のタグ１４ｂおよびパレット１２上に複数積載された荷物１１に備えられた第一のタグ１４ａへのデータの読書きが行なわれる。具体的には、リーダライタ３７を制御する制御装置３４による制御により、第一のタグ１４ａから荷物１１の重量データを読取り、第二のタグ１４ｂからパレット１２の識別データを読取り、第二のタグ１４ｂへ荷物１１の重量データを書込み、第一のタグ１４ａへパレット１２の識別データを書込む。このように構成することにより、容易に、すなわち、フォークリフト３９によってゲート３３を通過する際に、第一および第二のタグ１４ａ、１４ｂへのデータの読書きを行うことができる。
【００５０】
なお、例えば、荷物１１の重量が予め決まっており、荷物ＤＢ３６に重量データが格納されている場合やハンディターミナルにより予め重量データ等を読取っている場合には、荷物ＤＢ３６に格納されたデータやＨＴ受信装置３５等を利用して、書込みを行なってもよい。
【００５１】
なお、上記の実施の形態において、データの読書きを行なう際に、ユーザの認証を行うようにしてもよい。図１０は、この場合における荷物重量管理システム４１のハードウェア構成を示す図である。図１０を参照して、この発明のさらに他の実施形態に係る荷物重量管理システム４１は、通路４２の所定の箇所に設けられ、複数のリーダライタ４６を含むゲート４３と、データの読書き等を制御する制御装置４４と、ユーザを認証するためのＩＣカードリーダ４５とを備える。
【００５２】
ここで、制御装置４４による制御によってデータの読書きを行なう際に、ユーザの認証を行なう。すなわち、第一および第二のタグ１４ａ、１４ｂの読取りを開始する前に、ユーザの認証が成功したか否かを判断する。ここで、ユーザ認証は、ＩＣカードを利用して行なう。具体的には、ＩＣカードに格納された個人データ等を示すデータを、ＩＣカードリーダ４５を用いて読取り、この個人データが適切か否か等を、データベースに予め格納された個人データデータベース等と参照しながら判断する。また、ユーザ認証は、パスワードや暗証番号等によって管理することとしてもよい。
【００５３】
ユーザの認証が成功した場合には、第一および第二のタグ１４ａ、１４ｂの読取りを開始し、上記したようにデータを関連付けて第一および第二のタグ１４ａ、１４ｂへ書込みを行なう。一方、ユーザの認証が失敗した場合には、第一および第二のタグ１４ａ、１４ｂの読取りを開始しない。そして、その旨、すなわち、ユーザ認証の失敗を報知する。報知は、ブザーや別途設けられたディスプレイへの表示等により行なう。こうすることにより、ユーザのミスによる誤った読書きや、悪意の第三者によるデータの読書きを防止することができ、セキュリティを向上することができる。この場合、データの読取りは可能とするが、データの書込みは禁止することとしてもよい。すなわち、荷物重量管理システムは、ユーザを認証する認証手段と、認証手段により認証が失敗すれば、読取りおよび書込みのうち、少なくともいずれか一方を作動させないよう制御する制御手段を含むよう構成してもよい。
【００５４】
なお、複数の荷物を積載したパレットを運搬用のトラックに積み込む際、またはトラックから積み降ろす際に、ＩＣカードによる荷物のデータの読書きを行なってもよい。すなわち、荷物重量管理システムは、データの読書きが可能なＩＣカードを含み、書込み手段としてのリーダライタは、荷物の積載時に荷物の識別データおよび重量データをＩＣカードに書込むよう構成してもよい。
【００５５】
図１１は、この場合における荷物重量管理システム５１のハードウェア構成を示す図である。図１１を参照して、荷物重量管理システム５１は、複数のリーダライタ５２が設けられたゲート５３と、データの読書きを制御する制御装置５４と、ＩＣカードへのデータの読書きを行なうＩＣカード読書き装置５５と、荷物１１等に関連するデータが格納された荷物ＤＢ５６とを含む。
【００５６】
複数の荷物１１を積載したパレット１２をフォークリフト３９によって持ち上げて移動し、ゲート５３を通過する際に、リーダライタ５２によって荷物１１に備えられた第一のタグ１４ａおよびパレット１２に備えられた第二のタグ１４ｂに読書きを行なう。このときに、ＩＣカード読書き装置５５によって、ＩＣカード５７に読書きを行なう。この場合、トラック５８に積み込む際の荷物１１のデータをＩＣカード５７に書込む。具体的には、荷物１１の識別データ、荷物の重量データを書込む。このように構成することにより、トラック５８に積み込んだ複数の荷物１１の識別データおよび各荷物１１の重量データをＩＣカード５７に書込むことができ、ＩＣカード５７を荷物の重量管理に利用することができる。そうすると、例えば、荷物１１の重量データを管理する管理室５９に設けられたＩＣカード読書き装置５５によって、トラック５８に積み込んだ荷物の識別データおよび重量データを管理することができる。なお、この場合、管理室５９内にも制御装置５４を設け、ゲート５３に接続された制御装置５４と管理室５９内に設けられた制御装置５４とを荷物ＤＢ５６で接続することにより、荷物１１の管理を行うことが容易となる。
【００５７】
なお、上記した荷物重量管理システムにおいて、荷物１１の体積データおよび寸法データを管理することとしてもよい。図１２は、第一および第二のタグ１４ａ、１４ｂに書込まれた荷物１１の識別データ等を示すデータの概念図である。図１３は、１６個の荷物１１を積載したパレット１２を示す概略斜視図である。図１２および図１３を参照して、第一のタグ１４ａに書込まれるデータ６１として、荷物１１のＩＤを示す識別データ６２ａ、荷物１１の重量を示す重量データ６２ｂ、パレット１２に積載されているか否かを示すフラグデータ６２ｃ、積載されたパレット１２の識別データ６２ｄ、そして、荷物１１の幅（Ｗ）、高さ（Ｈ）、奥行き（Ｄ）の長さ寸法から構成される荷物１１の寸法データ６２ｅ、および荷物１１の体積を示す体積データ６２ｆが格納されている。ここで、寸法データ６２ｅにおいて、Ｗ５０とは、幅方向の長さ寸法が５０ｃｍであることを示し、Ｈ３０とは、高さ方向の長さ寸法が３０ｃｍであることを示し、Ｄ３０とは、奥行き方向の長さ寸法が３０ｃｍであることを示す。体積データ６２ｆについては、寸法データ６２ｅから計算により算出しても構わないし、その荷物１１について予め設定されている値を使用しても構わない。
【００５８】
また、第二のタグ１４ｂに書込まれるデータ６３として、パレット１２のＩＤを示す識別データ６４ａ、パレット１２の重量を示す重量データ６４ｂ、パレット１２が他のパレット等に積載されているか否かを示すフラグデータ６４ｃ、他のパレットに積載された際のパレット１２の識別データ６４ｄ、パレット１２の幅（Ｗ）、高さ（Ｈ）、奥行き（Ｄ）の長さ寸法から構成されるパレット１２の寸法データ６４ｅ、パレット１２の体積を示す体積データ６４ｆ、パレット１２に積載された全ての荷物１１の重量とパレット１２の重量を足し合わせた重量データ６４ｇ、パレット１２に積載された全ての荷物１１とパレット１２とを足し合わせたものの幅（Ｗ）、高さ（Ｈ）、奥行き（Ｄ）の長さ寸法から構成される寸法データ６４ｈ、およびパレット１２に積載された全ての荷物１１の体積とパレット１２の体積とを足し合わせた体積を示す体積データ６４ｉが格納されている。この場合、パレット１２上には、図１３に示すように１６個の荷物１１が積載されているため、寸法データ６４ｈにおいて、幅方向の長さ寸法は２つの荷物１１分の長さよりも長いパレット１２の幅（Ｗ）、高さ方向の長さ寸法は３つの荷物１１分の長さとなる高さ（Ｈ）、奥行き方向の長さ寸法は３つの荷物１１分の長さよりも長いパレット１２の奥行き（Ｄ）としている。また、体積データ６４ｉについては、上記したＷ、ＨおよびＤを掛け合わせて算出された全ての荷物１１の体積にパレット１２の体積を足し合わせたものとなっている。このように構成することにより、複数の荷物１１を積載したパレット１２の体積についても、管理することが容易になる。すなわち、体積データや寸法データをトラックに積み込む際の容積の参考とすることができる。なお、体積データおよび寸法データのうち、いずれか一方のみの読書きを行なうこととしてもよい。
【００５９】
なお、上記の実施の形態においては、運搬部材として四角平板状のパレットを用いることとしたが、これに限らず、運搬部材としては、例えば、図１４に示すような台車７１であってもよいし、図１５に示すようなカゴ車８１であってもよい。また、その他運搬部材として使用可能な部材であれば、どのような部材であってもよい。
【００６０】
図１４に示す台車７１は、複数の荷物１１を積載可能な略矩形平板状の積載部７２と、矩形の一方辺７３ａから上方に延び、台車７１全体を手押し可能に設けられた手押し部７４と、積載部７２の下部に設けられた４つのタイヤ７５とを含む。ここで、第二のタグ７６については、手押し部７４が設けられた一方辺７３ａと異なる積載部７２の他方辺７３ｂが位置する部分に貼付するように設けられる。
【００６１】
図１５に示すカゴ車８１は、複数の荷物１１を積載可能な略矩形平板状の積載部８２と、矩形の４つの辺８３から上方に延びるように設けられた４つの枠部８４と、積載部８２の下部に設けられた４つのタイヤ８５とを含む。ここで、第二のタグ８６については、４つの枠部８４のうちのいずれか一つの上方側端部に設けられた取っ手部８７に貼付するように設けられる。
【００６２】
ここで、例えば、図１６の点線で示す範囲内の複数の荷物１１をトラックに積載する場合、図１６中の一点鎖線内のタグ、具体的には、複数の荷物１１を積載したパレット１２に備えられた第二のタグ９１、運搬部材に積載されていない各荷物１１における第一のタグ９２、および複数の荷物を積載したカゴ車８１に備えられる第二のタグ９３のみを読取ることにより、図１６中の点線内に示す全ての荷物１１の重量データを取得することができる。
【００６３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６４】
この発明に係る荷物重量管理システム、荷物重量管理方法、および荷物重量管理装置は、運搬部材を用いて容易に荷物の重量管理を行うことが要求される場合に、有効に利用される。
【符号の説明】
【００６５】
１１  荷物、１２  パレット、１３  開口孔、１４ａ，１４ｂ，７６，８６，９１，９２，９３  タグ、１５，１６  側面、１７，１８ａ，１８ｂ，１８ｃ，１８ｄ，１９，２０ａ，２０ｂ，２０ｃ，２０ｄ，２８ａ，２８ｂ，２８ｃ，２８ｄ，２８ｅ，２８ｆ，６１，６２ａ，６２ｂ，６２ｃ，６２ｄ，６２ｅ，６２ｆ，６３，６４ａ，６４ｂ，６４ｃ，６４ｄ，６４ｅ，６４ｆ，６４ｇ，６４ｈ，６４ｉ  データ、２１  重量データ書込み装置、２２  重量測定器、２３，３７，４６，５２  リーダライタ、２４，３４，４４，５４  制御装置、２５，３６，５６  荷物ＤＢ、２６，３１，４１，５１  荷物重量管理システム、２７  ハンディターミナル、３２，４２  通路、３３，４３，５３  ゲート、３５  ＨＴ受信装置、３８ａ，３８ｂ  支柱、３９  フォークリフト、４５  ＩＣカードリーダ、５５  ＩＣカード読書き装置、５７  ＩＣカード、５８  トラック、５９  管理室、７１  台車、７２，８２  積載部、７３ａ，７３ｂ，８３  辺、７４  手押し部、７５，８５  タイヤ、８１  カゴ車、８４  枠部、８７  取っ手部。
【図１】
2010159104.tif 000003
【図２】
2010159104.tif 000004
【図３】
2010159104.tif 000005
【図４】
2010159104.tif 000006
【図５】
2010159104.tif 000007
【図６】
2010159104.tif 000008
【図７】
2010159104.tif 000009
【図８】
2010159104.tif 000010
【図９】
2010159104.tif 000011
【図１０】
2010159104.tif 000012
【図１１】
2010159104.tif 000013
【図１２】
2010159104.tif 000014
【図１３】
2010159104.tif 000015
【図１４】
2010159104.tif 000016
【図１５】
2010159104.tif 000017
【図１６】
2010159104.tif 000018